【手続補正書】
【提出日】平成20年9月29日(2008.9.29)
【手続補正１】
【補正対象書類名】明細書
【補正対象項目名】特許請求の範囲
【補正方法】変更
【補正の内容】
【特許請求の範囲】
【請求項１】  先端にコリメート・レンズが装着され、中空部分を備える筒状のスリーブ部と、前記スリーブ部の前記中空部内に挿入され、重ね合わせ溶接により前記スリーブ部に固定された筒状のピッグテイル部と、前記ピッグテイル部に挿入された光ファイバとを備え、前記重ね合わせ溶接は、スリーブ部の円周方向に沿って、等間隔に溶接されていることを特徴とするコリメータ。
【請求項２】  前記重ね合わせ溶接は、スリーブ部の円周方向に沿って、等間隔に３箇所以上溶接されていることを特徴とする請求項１に記載のコリメータ。
【請求項３】  前記重ね合わせ溶接は、スリーブ部の円周方向に沿って、等間隔に３から６箇所を溶接されていることを特徴とする請求項１に記載のコリメータ。
【請求項４】  前記ピッグテイル部は、前記光ファイバの挿入孔が設けられたフェルール枠体と、前記光ファイバの先端部の位置及び方向を保持するキャピラリ部とを備えることを特徴とする請求項１から３のいずれか１項に記載のコリメータ。
【請求項５】  先端にコリメート・レンズが装着され、中空部分を備える筒状のスリーブ部と、前記スリーブ部の前記中空部内に挿入され、重ね合わせ溶接により前記スリーブ部に固定された筒状のピッグテイル部と、前記ピッグテイル部に挿入された光ファイバを備えるコリメータにおいて、前記重ね合わせ溶接は、スリーブ部の円周方向に沿って、等間隔に溶接されていることを特徴とするコリメータと、前記コリメータを、送信側と受信側とに空間を介して対抗する位置に保持した保持部材と、前記空間に配置された光機能部品と、を備えることを特徴とするコリメータ・ブロック。
【請求項６】  前記スリーブ部の円周方向に沿って、等間隔に３箇所以上溶接されていることを特徴とするコリメータを備える、請求項５記載のコリメータ・ブロック。
【請求項７】  前記スリーブ部の円周方向に沿って、等間隔に３から６箇所を溶接されていることを特徴とするコリメータを備える、請求項５記載のコリメータ・ブロック。
【請求項８】  コリメート・レンズが装着された筒状のスリーブ部へ光ファイバが挿入されている筒状のピッグテイル部を挿入する挿入工程と、前記コリメート・レンズへ光を照射する照射工程と、該コリメート・レンズを介して前記光ファイバに到達する光の損失を測定しつつ、該光の損失が最小となる位置へ該ピッグテイル部を移動させる位置検出工程と、該スリーブ部と該ピッグテイル部とをスリーブ部の円周方向に沿って、該ピックテイル部を該光の損失が最小となる位置で固定する溶接方法において、前記スリーブ部の円周方向に沿って、等間隔に固定する溶接工程を含むコリメータ組立方法。
【請求項９】  前記コリメータ組立方法において、スリーブ部の円周方向に沿って、等間隔に３箇所以上を溶接する溶接工程を含む、請求項８記載のコリメータ組み立て方法。
【請求項１０】  前記コリメータ組立方法において、スリーブ部の円周方向に沿って、等間隔に３から６箇所を溶接する溶接工程を含む、請求項８記載のコリメータ組み立て方法。
【手続補正２】
【補正対象書類名】明細書
【補正対象項目名】０００９
【補正方法】変更
【補正の内容】
【０００９】
【課題を解決するための手段】
以下に本発明の態様を開示する。
本発明の第１の態様は、先端にコリメート・レンズが装着され、中空部分を備える筒状のスリーブ部と、前記スリーブ部の前記中空部内に挿入され、重ね合わせ溶接により前記スリーブ部に固定された筒状のピッグテイル部と、前記ピッグテイル部に挿入された光ファイバとを備え、前記重ね合わせ溶接は、スリーブ部の円周方向に沿って、等間隔に溶接されていることを特徴とするコリメータである。
【手続補正３】
【補正対象書類名】明細書
【補正対象項目名】００１０
【補正方法】変更
【補正の内容】
【００１０】
本発明の第２の態様は、前記重ね合わせ溶接は、スリーブ部の円周方向に沿って、等間隔に３箇所以上溶接されていることを特徴とする請求項１に記載のコリメータである。
【手続補正４】
【補正対象書類名】明細書
【補正対象項目名】００１１
【補正方法】変更
【補正の内容】
【００１１】
本発明の第３の態様は、前記重ね合わせ溶接は、スリーブ部の円周方向に沿って、等間隔に３から６箇所を溶接されていることを特徴とするコリメータである。
【手続補正５】
【補正対象書類名】明細書
【補正対象項目名】００１２
【補正方法】変更
【補正の内容】
【００１２】
本発明の第４の態様は、前記ピッグテイル部は、前記光ファイバの挿入孔が設けられたフェルール枠体と、前記光ファイバの先端部の位置及び方向を保持するキャピラリ部とを備えることを特徴とするコリメータである。
【手続補正６】
【補正対象書類名】明細書
【補正対象項目名】００１３
【補正方法】変更
【補正の内容】
【００１３】
本発明の第５の態様は、先端にコリメート・レンズが装着され、中空部分を備える筒状のスリーブ部と、前記スリーブ部の前記中空部内に挿入され、重ね合わせ溶接により前記スリーブ部に固定された筒状のピッグテイル部と、前記ピッグテイル部に挿入された光ファイバを備えるコリメータにおいて、前記重ね合わせ溶接は、スリーブ部の円周方向に沿って、等間隔に溶接されていることを特徴とするコリメータと、前記コリメータを、送信側と受信側とに空間を介して対抗する位置に保持した保持部材と、前記空間に配置された光機能部品とを備えることを特徴とするコリメータ・ブロックである。
【手続補正７】
【補正対象書類名】明細書
【補正対象項目名】００１４
【補正方法】変更
【補正の内容】
【００１４】
本発明の第６の態様は、前記スリーブ部の円周方向に沿って、等間隔に３箇所以上溶接されていることを特徴とするコリメータを備えるコリメータ・ブロックである。
【手続補正８】
【補正対象書類名】明細書
【補正対象項目名】００１５
【補正方法】変更
【補正の内容】
【００１５】
本発明の第７の態様は、前記スリーブ部の円周方向に沿って、等間隔に３から６箇所を溶接されていることを特徴とするコリメータを備えるコリメータ・ブロックである。
【手続補正９】
【補正対象書類名】明細書
【補正対象項目名】００１６
【補正方法】変更
【補正の内容】
【００１６】
本発明の第８の態様は、コリメート・レンズが装着された筒状のスリーブ部へ光ファイバが挿入されている筒状のピッグテイル部を挿入する挿入工程と、前記コリメート・レンズへ光を照射する照射工程と、該コリメート・レンズを介して前記光ファイバに到達する光の損失を測定しつつ、該光の損失が最小となる位置へ該ピッグテイル部を移動させる位置検出工程と、該スリーブ部と該ピッグテイル部とをスリーブ部の円周方向に沿って、該ピックテイル部を該光の損失が最小となる位置で固定する溶接方法において、前記スリーブ部の円周方向に沿って、等間隔に固定する溶接工程を含むコリメータ組立方法である。
【手続補正１０】
【補正対象書類名】明細書
【補正対象項目名】００１７
【補正方法】変更
【補正の内容】
【００１７】
本発明の第９態様は、前記コリメータ組立方法において、スリーブ部の円周方向に沿って、等間隔に３箇所以上を溶接する溶接工程を含むコリメータ組み立て方法である。
【手続補正１１】
【補正対象書類名】明細書
【補正対象項目名】００１８
【補正方法】変更
【補正の内容】
【００１８】
前記コリメータ組立方法において、スリーブ部の円周方向に沿って、等間隔に３から６箇所を溶接する溶接工程を含むコリメータ組み立て方法である。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】